(57)【要約】【目的】本考案は、磁石が内蔵されたブロック玩具のブロック表面に突起と溝形態の構造を形成して、ブロック間の上下接合、水平接合、垂直接合における各ブロックの突起と溝形態の構造が自然に互いに噛み合い、各ブロック間の安定的な接合が可能であるようにする磁石が内蔵されたブロック玩具のブロック間の接合のための表面構造に関するものである。【構成】ブロック玩具のブロックとして、上部フレーム１１と下部フレーム１２が結合突起１３および結合孔１４によって結合されて１つのブロックで作られて、中央部分に中空のある正方形のパネル形状を有し、上部フレーム１１と下部フレーム１２の４つの辺の内部中央には、磁石の回転駆動のための内部空間が確保された磁石装着溝１５が形成されて、円柱形の磁石１６が縁部の長さ方向と並んで内蔵するブロック。【選択図】図３
0003200888.tif 000002
【実用新案登録請求の範囲】
【請求項１】
ブロック玩具のブロックとして、上部フレーム１１と下部フレーム１２が結合突起１３および結合孔１４によって結合されて１つのブロックで作られて、中央部分に中空のある正方形のパネル形状を有し、上部フレーム１１と下部フレーム１２の４つの辺の内部中央には、磁石の回転駆動のための内部空間が確保された磁石装着溝１５が形成されて、円柱形の磁石１６が縁部の長さ方向と並んで内蔵するブロックにおいて、
前記上部フレーム１１の上面と下部フレーム１２の下面には、結合突起１３と結合孔１４との間に水平突起２１、２１−１が、各辺の中央を基準として所定の間隔を置いて左側には、複数の水平突起２１が形成され、右側には、前記左側に形成される水平突起２１よりも１つ小さい個数の水平突起２１−１が形成されて、縁部に沿って一定の間隔で縁部と並んでいる方向に備えられて、
前記上部フレーム１１の縁部には、上部傾斜面２２が形成され、前記上部傾斜面２２から下向きに延長されて上部垂直面２３が形成され、前記下部フレーム１２の縁部には、下部傾斜面２４が形成され、前記下部傾斜面２４から上向きに延長されて下部垂直面２５が形成され、
前記上部傾斜面２２には、各辺の中央を基準として所定の間隔を置いて、左側には複数の段で係止溝２６が形成され、右側には左側に形成された係止溝２６の段と同じ数の段で係止突起２７が形成され、前記下部傾斜面２４には、各辺の中央を基準として所定の間隔を置いて、左側には前記上部傾斜面２２に形成された係止溝２６の段と同じ数の段で係止突起２７が形成され、右側には前記上部傾斜面２２に形成された係止溝２６の段と同じ数の段に係止突起２７が形成され、
前記上部垂直面２３には、各辺の中央を基準として所定の間隔を置いて、左側には挿入溝２８が形成され、右側には挿入突起２９が形成され、前記下部垂直面２５には、各辺の中央を基準に所定の間隔を置いて、左側には挿入突起２９が形成され、右側には挿入溝２８が形成されることを特徴とする磁石が内蔵されたブロック玩具のブロック間の接合のための表面構造。
【請求項２】
前記上部フレーム１１と下部フレーム１２が結合されたブロック１は、縦、横にそれぞれ６０７０ｍｍ、厚さ６９ｍｍで形成されることを特徴とする請求項１に記載の磁石が内蔵されたブロック玩具のブロック間の接合のための表面構造。
【請求項３】
前記水平突起２１、２１−１の高さは０．２５０．３５ｍｍで形成されることを特徴とする請求項１に記載の磁石が内蔵されたブロック玩具のブロック間の接合のための表面構造。
【請求項４】
前記係止溝２６の各溝の深さと前記係止突起２７の各突起の高さは、それぞれ０．２５０．３５ｍｍで形成されることを特徴とする請求項１に記載の磁石が内蔵されたブロック玩具のブロック間の接合のための表面構造。
【請求項５】
前記挿入溝２８の深さと前記挿入突起２９の高さは、それぞれ０．４０．６ｍｍで形成されることを特徴とする請求項１に記載の磁石が内蔵されたブロック玩具のブロック間の接合のための表面構造。
【考案の詳細な説明】
【技術分野】
【０００１】
本考案は、磁石が内蔵されたブロック玩具のブロック間の接合のための表面構造に関するもので、より詳細には、磁石が内蔵されたブロック玩具のブロック表面に突起と溝形態の構造を形成して、ブロック間の上下接合、水平接合、垂直接合における各ブロックの突起と溝形態の構造が自然に互いに噛み合いながら、各ブロック間の安定的な接合が可能であるようにする磁石が内蔵されたブロック玩具のブロック間の接合のための表面構造に関するものである。
【背景技術】
【０００２】
主にプラスチック製の小さなブロックを組み立てて、希望の立体形状を作成して楽しむ玩具をブロック玩具といい、ブロック玩具には、複数個のブロックがセットの形で構成されている。
【０００３】
ブロック玩具は、各ブロックに形成された突起と溝を互いに嵌め合わせる結合構造を有する組立式ブロック玩具が市販されているが、組み立て時に各ブロックの突起と溝の位置を１つずつ一致させて力をかけて嵌め合わせるべきであり、一度組み立てられる場合は、他の立体形状を作成するために、各ブロックを分解することも容易ではない不便さがある。
【０００４】
一方、ブロックの内部に磁石を装着して、各ブロックを互いに近く持って行くだけで、磁力によってブロック間の簡単な接合が行われるようにする磁石が内蔵されたブロック玩具も市販されているが、磁石が内蔵されたブロック玩具は、磁石を利用することで、便利に各ブロックを互いに接合させることができ、組み立て後の分解も容易であるという利点はあるが、ほとんどのブロックの縁部がラウンド処理されて、各ブロック間の接合が堅固せず、立体形状に組み立てられた後に、若干の衝撃だけ加えられても、その形状が崩れることになるという短所がある。
【先行技術文献】
【特許文献】
【０００５】
【特許文献１】大韓民国登録特許第１０−０５２４１５４号
【特許文献２】大韓民国登録実用新案第２０−０４４６８７３号
【特許文献３】大韓民国公開特許第１０−２０１２−００９７０８８号
【特許文献４】大韓民国実用新案登録第２０−０４６８８２１号
【考案の概要】
【考案が解決しようとする課題】
【０００６】
本考案は、磁石が内蔵されたブロック玩具のブロック表面に突起と溝形態の構造を形成して、ブロック間の上下接合、水平接合、垂直接合における各ブロックの突起と溝形態の構造が自然に互いに噛み合いながら、各ブロック間の安定的な接合が可能であるようにする磁石が内蔵されたブロック玩具のブロック間の接合のための表面構造を提供することを目的とする。
【課題を解決するための手段】
【０００７】
本考案の磁石が内蔵されたブロック玩具のブロック間の接合のための表面構造は、ブロック玩具のブロックとして上部フレーム１１と下部フレーム１２が、結合突起１３および結合孔１４によって結合されて一つのブロックで作られて、中央部分に中空のある正方形のパネル形状を有し、上部フレーム１１と下部フレーム１２の４つの辺の内部中央には、磁石の回転駆動のための内部空間が確保された磁石装着溝１５が形成され、円柱形の磁石１６が縁部の長さ方向と並んで内蔵されているブロックにおいて、前記上部フレーム１１の上面と下部フレーム１２の下面には、結合突起１３と結合孔１４との間に水平突起２１、２１−１が、各辺の中央を基準として所定の間隔を置いて、左側には複数の水平突起２１が形成され、右側には前記左側に形成される水平突起２１よりも１つ小さい個数の水平突起２１−１が形成されて、縁部に沿って一定の間隔で縁部と並んでいる方向に具備され、前記上部フレーム１１の縁部には、上部傾斜面２２が形成され、前記上部傾斜面２２から下向きに延長されて上部垂直面２３が形成され、前記下部フレーム１２の縁部には、下部傾斜面２４が形成され、前記下部傾斜面２４から上向きに延長されて下部垂直面２５が形成され、前記上部傾斜面２２には、各辺の中央を基準として所定の間隔を置いて、左側には複数の段で係止溝２６が形成され、右側には左側に形成された係止溝２６の段と同じ数の段で係止突起２７が形成され、前記下部傾斜面２４には、各辺の中央を基準として所定の間隔を置いて、左側には前記上部傾斜面２２に形成された係止溝２６の段と同じ数の段で係止突起２７が形成され、右側には前記上部傾斜面２２に形成された係止溝２６の段と同じ数の段で係止突起２７が形成され、前記上部垂直面２３には、各辺の中央を基準として所定の間隔を置いて、左側には挿入溝２８が形成され、右側には挿入突起２９が形成され、前記下部垂直面２５には、各辺の中央を基準として所定の間隔を置いて、左側には挿入突起２９が形成され、右側には、挿入溝２８が形成されることを特徴とすることができる。
【０００８】
また、前記上部フレーム１１と下部フレーム１２が結合されるブロック１は、縦、横にそれぞれ６０７０ｍｍ、厚さ６９ｍｍに形成され、前記水平突起２１、２１−１の高さは０．２５０．３５ｍｍに形成されることを特徴とすることができる。
また、前記係止溝２６の各溝の深さと前記係止突起２７の各突起の高さは、それぞれ０．２５０．３５ｍｍに形成され、前記挿入溝２８の深さと前記挿入突起２９の高さは、それぞれ０．４０．６ｍｍに形成されることを特徴とすることができる。
【考案の効果】
【０００９】
本考案は、磁石が内蔵されたブロック玩具のブロック表面に突起と溝形態の構造を形成して、ブロック間の上下接合、水平接合、垂直接合における各ブロックの突起と溝形態の構造が自然に互いに噛み合いながら、各ブロック間の安定的な接合が可能であるようにする効果がある。
【００１０】
また、本考案は、磁石が内蔵されたブロック玩具のブロックで組み立てられた立体形状が、構造的な安定性を持つようにして組み立てられた後に、ある程度の衝撃を受けてもその形状が崩れないようにする効果がある。
【図面の簡単な説明】
【００１１】
【図１】従来の磁石が内蔵されたブロック玩具のブロックの斜視図
【図２】本考案のブロックの斜視図
【図３】本考案のブロックの分解斜視図
【図４】本考案のブロック間の上下接合を示す図
【図５】Ａ−Ａ線断面図
【図６】本考案のブロック間の水平接合を示す図
【図７】本考案のブロック間の水平接合の断面図
【図８】本考案のブロック間の垂直接合を示す図
【図９】本考案のブロック間の垂直接合の断面図
【図１０】本考案のブロック（実施例）と比較例のブロックで組み立てられた正六面体の最大圧縮荷重を測定した試験成績書
【図１１】本考案のブロック（実施例）と比較例のブロックで組み立てられた正六面体の最大圧縮荷重を測定した試験成績書
【図１２】本考案のブロック（実施例）と比較例のブロックで組み立てられた正六面体の最大圧縮荷重を測定した試験成績書
【考案を実施するための形態】
【００１２】
以下、本考案の実施例、比較例および実験例について添付した図面を参考にして詳細に説明する。
【００１３】
実施例
図２、３に示すように、本考案の磁石が内蔵されたブロック玩具のブロック１は、上部フレーム１１と下部フレーム１２が結合突起１３および結合孔１４により結合されて１つのブロックで作られて、中央部分に中空のある正方形のパネル形状を有し、上部フレーム１１と下部フレーム１２の４つの辺の内部中央には、磁石の回転駆動のための内部空間が確保された磁石装着溝１５が形成されて、円柱形の磁石１６が縁部の長さ方向と並んで内蔵されている。
【００１４】
前記上部フレーム１１と下部フレーム１２が結合されたブロック１は、縦、横にそれぞれ６０７０ｍｍ、厚さ６９ｍｍで、中央部分に中空のあるパネルの形に形成されることが好ましいが、これは横、縦にそれぞれ６５ｍｍ、厚さ６ｍｍ未満であれば、ブロック玩具のブロックとして小さ過ぎるようになり、縦、横にそれぞれ７０ｍｍ、厚さ９ｍｍを超えると、ブロック玩具のブロックとして大き過ぎるからである。本実施例では、前記上部フレーム１１と下部フレーム１２が結合されたブロック１は、縦、横にそれぞれ６５ｍｍ、厚さ７ｍｍで、中央部分に中空のあるパネルの形態であり、４つの辺の幅は、それぞれ１１ｍｍに形成される。
【００１５】
前記上部フレーム１１の上面と下部フレーム１２の下面には、結合突起１３と結合孔１４との間に水平突起２１、２１−１が縁部に沿って一定の間隔で縁部と並んでいる方向に備えられる。前記水平突起２１、２１−１の高さは０．２５０．３５ｍｍに形成されることが好ましいが、これは前記水平突起２１、２１−１の高さが０．２５ｍｍ未満であれば、上部フレーム１１の水平突起と下部フレーム１２の水平突起との間の噛み合い力があまりにも弱くなり、前記水平突起２１、２１−１の高さが０．３５ｍｍを超えると、水平突起が高く突出して、ブロックの使用に不便を招くためである。本実施例では、前記水平突起２１、２１−１の高さは０．３ｍｍに形成され、上部フレーム１１の上面には、各辺の中央を基準として所定の間隔をおいて、各辺の左側に３列の水平突起２１が形成され、右側に２列の水平突起２１−１が形成され、下部フレーム１２の下面には、各辺の中央を基準として所定の間隔をおいて、各辺の左側に２列の水平突起２１−１が形成され、右側に３列の水平突起２１が形成される。
【００１６】
前記上部フレーム１１の縁部には、上部傾斜面２２が形成され、前記上部傾斜面２２から下向きに延長されて上部垂直面２３が形成され、前記下部フレーム１２の縁部には、下部傾斜面２４が形成され、前記下部傾斜面２４から上向きに延長されて下部垂直面２５が形成される。
【００１７】
前記上部傾斜面２２には、各辺の中央を基準として所定の間隔を置いて左側には、係止溝２６が３段に形成され、右側には係止突起２７が３段に形成され、前記下部傾斜面２４には、各辺の中央を基準として所定の間隔を置いて左側には、係止突起２７が３段に形成され、右側には係止溝２６が３段に形成される。前記係止溝２６の各溝の深さと前記係止突起２７の各突起の高さは、それぞれ０．２５０．３５ｍｍに形成されることが好ましいが、これは、前記係止溝２６の各溝の深さと、前記係止突起２７の各突起の高さがそれぞれ０．２５ｍｍ未満であれば、例えば、上部傾斜面２２の係止突起２７と下部傾斜面２４の係止溝２６との間の噛み合い力があまりにも弱くなり、前記係止溝２６の各溝の深さと前記係止突起２７の各突起の高さがそれぞれ０．３５ｍｍ超過であると、係止突起２７があまりにも高く突出して、ブロックの使用に不便を招くためである。本実施例では、前記係止溝２６の各溝の深さと前記係止突起２７の各突起の高さは、それぞれ０．３ｍｍに形成される。
【００１８】
前記上部垂直面２３には、各辺の中央を基準として所定の間隔を置いて左側には、挿入溝２８が形成され、右側には、挿入突起２９が形成され、前記下部垂直面２５には、各辺の中央を基準として所定の間隔を置いて左側には、挿入突起２９が形成され、右側には、挿入溝２８が形成される。前記挿入溝２８の深さと、前記挿入突起２９の高さは、それぞれ０．４０．６ｍｍに形成されることが好ましいが、これは、前記挿入溝２８の深さと、前記挿入突起２９の高さが０．４ｍｍ未満であれば、例えば、上部垂直面２３の挿入溝２８と下部垂直面２５の挿入突起２９との間の噛み合い力があまりにも弱くなり、前記挿入溝２８の深さと、前記挿入突起２９の高さが０．６ｍｍを超えると、前記挿入突起２９が、あまりにも多く突出して、ブロックの使用に不便を招くためである。本実施例では、前記挿入溝２８の深さと、前記挿入突起２９の高さはそれぞれ０．５ｍｍに形成される。
【００１９】
前記のような構成は、正方形のパネル形状を有する本考案のブロック１の４つの辺と縁部にそれぞれ同一に形成されている。
【００２０】
以下、本考案のブロック１の間の接合について観察すると、本考案のブロック１の間の接合は、上下接合、水平接合、垂直接合がある。
【００２１】
図４は、本考案のブロックとの間の上下接合を示す図であり、図５は図４のＡＡ線断面図である。上部ブロック２の４つの辺の下面には、各辺の中央を基準として所定の間隔を置いて左側に２列の水平突起２１−１が形成され、右側に３列の水平突起２１が形成され、下部ブロック３の４つの辺の上面には、各辺の中央を基準として所定の間隔を置いて、左側に３列の水平突起２１が形成され、右側に２列の水平突起２１−１が形成される。
【００２２】
上部ブロック２と下部ブロック３が上下接合される場合、上部ブロック２の水平突起２１、２１−１と下部ブロック３の水平突起２１、２１−１が相互に噛み合って、例えば、図５に示すように、上部ブロック２の下面左側に形成された２つの水平突起２１−１は、下部ブロック３の上面左側に形成された３つの水平突起２１に噛み合って、上下接合された２つのブロック２、３を握って、水平に互いに反対の方向に押しても動かずに堅固に上下接合が維持される。
【００２３】
図６は、本考案のブロック間の水平接合を示す図であり、図７は、本考案のブロック間の水平接合の断面図である。前方ブロック４の後縁部４−１の上部垂直面２３には、その辺の中央を基準として所定の間隔を置いて左側には、挿入突起２９が形成され、右側には、挿入溝２８が形成され、下部垂直面には、その辺の中央を基準として所定の間隔を置いて左側には、挿入溝２８が形成され、右側には挿入突起２９が形成される。後方ブロック５の前縁部５−１の上部垂直面２３には、その辺の中央を基準として所定の間隔を置いて左側には、挿入溝２８が形成され、右側には、挿入突起２９が形成され、下部垂直面２５には、その辺の中央を基準として所定の間隔を置いて左側には、挿入突起２９が形成され、右側には、挿入溝２８が形成される。
【００２４】
前方ブロック４と後方ブロック５が水平接合される場合、前方ブロック４の後縁部４−１と後方ブロック５の前縁部５−１との挿入溝２８と挿入突起２９が互いに噛み合って水平接合される２つのブロック４、５を握って、互いに逆方向に回転させても動かずに堅固に水平接合が維持される。
【００２５】
図８は、本発明のブロック間の垂直接合を示す図であり、図９は、本発明のブロック間の垂直接合の断面図である。水平ブロック６の前縁部６−１の下部傾斜面２４には、その辺の中央を基準として所定の間隔を置いて左側には、係止突起２７が３段に形成され、右側には係止溝２６が３段に形成され、垂直ブロック７の上縁部７−１の下部傾斜面２４には、その辺の中央を基準として所定の間隔を置いて左側には、係止溝２６が３段に形成され、右側には係止突起２７が３段に形成される。
【００２６】
前記下部傾斜面２４は、４５の傾斜角を有し、水平ブロック６と垂直ブロック７が接合される場合、水平ブロック６と垂直ブロック７は、９０の直角状態に接合される。水平ブロック６と垂直ブロック７が垂直接合される場合、水平ブロック６と垂直ブロック７の係止溝２６と係止突起２７とが互いに噛み合って堅固に垂直接合が維持される。
【００２７】
このような垂直接合が維持される強度を科学的に確認するために、本考案のブロック１を利用して、正六面体を形成した後、最大圧縮荷重を測定し、その試験結果は、実験例で説明する。
【００２８】
比較例
市販されている磁石が内蔵されたマグフォーマー（ＭＡＧＦＯＲＭＥＲＳ）ブロック玩具製品を使用した。前記マグフォーマーブロック玩具製品のブロック８は、図１に示されるように、中央部分に中空のある正方形のパネル形状を有し、前記ブロック８の４つの辺の内部中央には、円柱形の磁石１６が回転駆動可能に縁部の長さ方向と並んでいるように内蔵されている。
【００２９】
前記ブロック８は、縦、横に各６５ｍｍ、厚さ７ｍｍで、中央部分に中空のあるパネルの形態であり、４つの辺の幅は１１ｍｍに形成されており、ブロックの縁部の断面はラウンド処理されている。
【００３０】
２つの前記ブロック８を、実施例と同じ方法で上下接合、水平接合、垂直接合を行った。前記ブロックの縁部の断面はラウンド処理されているところ、２つの前記ブロック８を上下接合した後、上下接合された２つのブロックを握って水平に互いに反対の方向に押すと、簡単に２つのブロックが分離され、２つの前記ブロックを水平接合した後、水平接合された２つのブロックを握って互いに反対方向に回転させると、簡単に２つのブロックが分離される。
【００３１】
前記の２つのブロックを垂直接合した後、若干の衝撃だけ加えても、簡単に２つのブロックが分離され、このような垂直接合の強度を科学的に確認するために、前記ブロック８を利用して、正六面体を形成した後、最大圧縮荷重を測定し、その試験結果は、実験例で説明する。
【００３２】
実験例
縁部がラウンド処理されたマグフォーマーブロック玩具のブロック８と本発明のブロック１を利用して、それぞれ正六面体を形成した後、圧縮試験を行った。
【００３３】
前記圧縮試験は、材料試験機に前記正六面体をそれぞれ装着した後、５ｍｍ／ｍｉｎの速度で垂直方向に圧縮荷重を加えて、最大圧縮荷重を測定し、２０１４年７月２５日、韓国産業技術試験院で試験成績書が発行された。
【００３４】
前記試験成績書によると、縁部がラウンド処理されたマグフォーマーブロック玩具のブロック８で作られた正六面体の最大圧縮荷重は、２０Ｎ（ニュートン）、本考案のブロック１で作られた正六面体の最大圧縮荷重は８７Ｎ（ニュートン）で測定され、縁部がラウンド処理されたマグフォーマーブロック玩具のブロック８で作られた正六面体と比べて本発明のブロック１で作られた正六面体の最大圧縮荷重が３３５％増加するという顕著な効果を示した。
【００３５】
本考案では、ブロック１の形状を正方形にしたが、ブロックの形状がこれに限定されるものではなく、長方形、三角形、六角形、八角形などのように多様な形状のブロックを使用することができる。
【００３６】
以上のように、本考案の実施例について説明したが、本考案は、説明して図示された実施例による構成および作用に限定されるものではなく、添付された実用新案登録請求の範囲の思想及び範囲を逸脱することがなしに、本考案の複数の変更および修正が可能なので、そのようなすべての変更および修正と均等物等、特にパネルの形のブロックの大きさの変化に応じて、突起と溝形態の構造の長さ、高さ、厚さなどが変化することなども本考案の範囲に属するものとみなされるべきである。
【符号の説明】
【００３７】
１：本考案のブロック
２：上部ブロック
３：下部ブロック
４：前方ブロック
４−１：前方ブロックの後縁部
５：後方ブロック
５−１：後方ブロックの前縁部
６：水平ブロック
６−１：水平ブロックの前縁部
７：垂直ブロック
７−１：垂直ブロックの上縁部
８：マグフォーマーブロック玩具のブロック
１１：上部フレーム
１２：下部フレーム
１３：結合突起
１４：結合孔
１５：マグネット装着溝
１６：磁石
２１：水平突起（３列）
２１−１：水平突起（２列）
２２：上部斜面
２３：上部垂直面
２４：下部斜面
２５：下部垂直面
２６：係止溝
２７：係止突起
２８：挿入溝
２９：挿入突起
【図１】
0003200888.tif 000003
【図２】
0003200888.tif 000004
【図３】
0003200888.tif 000005
【図４】
0003200888.tif 000006
【図５】
0003200888.tif 000007
【図６】
0003200888.tif 000008
【図７】
0003200888.tif 000009
【図８】
0003200888.tif 000010
【図９】
0003200888.tif 000011
【図１０】
0003200888.tif 000012
【図１１】
0003200888.tif 000013
【図１２】
0003200888.tif 000014
【手続補正書】
【提出日】平成27年9月11日(2015.9.11)
【手続補正１】
【補正対象書類名】実用新案登録請求の範囲
【補正対象項目名】全文
【補正方法】変更
【補正の内容】
【実用新案登録請求の範囲】
【請求項１】
ブロック玩具のブロックとして、上部フレーム１１と下部フレーム１２が結合突起１３および結合孔１４によって結合されて１つのブロックで作られて、中央部分に中空のある正方形のパネル形状を有し、上部フレーム１１と下部フレーム１２の４つの辺の内部中央には、磁石の回転駆動のための内部空間が確保された磁石装着溝１５が形成されて、円柱形の磁石１６が縁部の長さ方向と並んで内蔵するブロックにおいて、
前記上部フレーム１１の上面と下部フレーム１２の下面には、結合突起１３と結合孔１４との間に水平突起２１、２１−１が、各辺の中央を基準として所定の間隔を置いて左側には、複数の水平突起２１が形成され、右側には、前記左側に形成される水平突起２１よりも１つ小さい個数の水平突起２１−１が形成されて、縁部に沿って一定の間隔で縁部と並んでいる方向に備えられて、
前記上部フレーム１１の縁部には、上部傾斜面２２が形成され、前記上部傾斜面２２から下向きに延長されて上部垂直面２３が形成され、前記下部フレーム１２の縁部には、下部傾斜面２４が形成され、前記下部傾斜面２４から上向きに延長されて下部垂直面２５が形成され、
前記上部傾斜面２２には、各辺の中央を基準として所定の間隔を置いて、左側には複数の段で係止溝２６が形成され、右側には左側に形成された係止溝２６の段と同じ数の段で係止突起２７が形成され、前記下部傾斜面２４には、各辺の中央を基準として所定の間隔を置いて、左側には前記上部傾斜面２２に形成された係止溝２６の段と同じ数の段で係止突起２７が形成され、右側には前記上部傾斜面２２に形成された係止溝２６の段と同じ数の段に係止突起２７が形成され、
前記上部垂直面２３には、各辺の中央を基準として所定の間隔を置いて、左側には挿入溝２８が形成され、右側には挿入突起２９が形成され、前記下部垂直面２５には、各辺の中央を基準に所定の間隔を置いて、左側には挿入突起２９が形成され、右側には挿入溝２８が形成されることを特徴とする磁石が内蔵されたブロック玩具のブロック間の接合のための表面構造。
【請求項２】
前記上部フレーム１１と下部フレーム１２が結合されたブロック１は、縦、横にそれぞれ６０７０ｍｍ、厚さ６９ｍｍで形成されることを特徴とする請求項１に記載の磁石が内蔵されたブロック玩具のブロック間の接合のための表面構造。
【請求項３】
前記水平突起２１、２１−１の高さは０．２５〜０．３５ｍｍで形成されることを特徴とする請求項１に記載の磁石が内蔵されたブロック玩具のブロック間の接合のための表面構造。
【請求項４】
前記係止溝２６の各溝の深さと前記係止突起２７の各突起の高さは、それぞれ０．２５〜０．３５ｍｍで形成されることを特徴とする請求項１に記載の磁石が内蔵されたブロック玩具のブロック間の接合のための表面構造。
【請求項５】
前記挿入溝２８の深さと前記挿入突起２９の高さは、それぞれ０．４〜０．６ｍｍで形成されることを特徴とする請求項１に記載の磁石が内蔵されたブロック玩具のブロック間の接合のための表面構造。
【手続補正３】
【補正対象書類名】明細書
【補正対象項目名】００１５
【補正方法】変更
【補正の内容】
【００１５】
前記上部フレーム１１の上面と下部フレーム１２の下面には、結合突起１３と結合孔１４との間に水平突起２１、２１−１が縁部に沿って一定の間隔で縁部と並んでいる方向に備えられる。前記水平突起２１、２１−１の高さは０．２５〜０．３５ｍｍに形成されることが好ましいが、これは前記水平突起２１、２１−１の高さが０．２５ｍｍ未満であれば、上部フレーム１１の水平突起と下部フレーム１２の水平突起との間の噛み合い力があまりにも弱くなり、前記水平突起２１、２１−１の高さが０．３５ｍｍを超えると、水平突起が高く突出して、ブロックの使用に不便を招くためである。本実施例では、前記水平突起２１、２１−１の高さは０．３ｍｍに形成され、上部フレーム１１の上面には、各辺の中央を基準として所定の間隔をおいて、各辺の左側に３列の水平突起２１が形成され、右側に２列の水平突起２１−１が形成され、下部フレーム１２の下面には、各辺の中央を基準として所定の間隔をおいて、各辺の左側に２列の水平突起２１−１が形成され、右側に３列の水平突起２１が形成される。
【手続補正４】
【補正対象書類名】明細書
【補正対象項目名】００１７
【補正方法】変更
【補正の内容】
【００１７】
前記上部傾斜面２２には、各辺の中央を基準として所定の間隔を置いて左側には、係止溝２６が３段に形成され、右側には係止突起２７が３段に形成され、前記下部傾斜面２４には、各辺の中央を基準として所定の間隔を置いて左側には、係止突起２７が３段に形成され、右側には係止溝２６が３段に形成される。前記係止溝２６の各溝の深さと前記係止突起２７の各突起の高さは、それぞれ０．２５〜０．３５ｍｍに形成されることが好ましいが、これは、前記係止溝２６の各溝の深さと、前記係止突起２７の各突起の高さがそれぞれ０．２５ｍｍ未満であれば、例えば、上部傾斜面２２の係止突起２７と下部傾斜面２４の係止溝２６との間の噛み合い力があまりにも弱くなり、前記係止溝２６の各溝の深さと前記係止突起２７の各突起の高さがそれぞれ０．３５ｍｍ超過であると、係止突起２７があまりにも高く突出して、ブロックの使用に不便を招くためである。本実施例では、前記係止溝２６の各溝の深さと前記係止突起２７の各突起の高さは、それぞれ０．３ｍｍに形成される。
【手続補正５】
【補正対象書類名】明細書
【補正対象項目名】００１８
【補正方法】変更
【補正の内容】
【００１８】
前記上部垂直面２３には、各辺の中央を基準として所定の間隔を置いて左側には、挿入溝２８が形成され、右側には、挿入突起２９が形成され、前記下部垂直面２５には、各辺の中央を基準として所定の間隔を置いて左側には、挿入突起２９が形成され、右側には、挿入溝２８が形成される。前記挿入溝２８の深さと、前記挿入突起２９の高さは、それぞれ０．４〜０．６ｍｍに形成されることが好ましいが、これは、前記挿入溝２８の深さと、前記挿入突起２９の高さが０．４ｍｍ未満であれば、例えば、上部垂直面２３の挿入溝２８と下部垂直面２５の挿入突起２９との間の噛み合い力があまりにも弱くなり、前記挿入溝２８の深さと、前記挿入突起２９の高さが０．６ｍｍを超えると、前記挿入突起２９が、あまりにも多く突出して、ブロックの使用に不便を招くためである。本実施例では、前記挿入溝２８の深さと、前記挿入突起２９の高さはそれぞれ０．５ｍｍに形成される。